(57)【要約】【課題】他の書類とともに綴じることができ、異なる大きさのケースやディスクが収納でき、収納ホルダーを収納ファイルに綴じ込んで使用することもでき、収納ファイルから取り外して収納ホルダー単体で使用することもできるという２通りの使用を可能とし、ゴミの問題も解決できる収納ファイルを提供すること。【解決手段】収納ホルダー５０を、第１収納部５２ａを有するホルダー部５２と、第１収納部５２ａ内に着脱自在に収納されて第２収納部５３ａを有する補助ホルダー部５３と、ディスクケース８０等の表面を保護する蓋部２０と、綴じ部とを備えたものとして、ホルダー部５２と補助ホルダー部５３とを折り込み形成して、補助ホルダー５３の側面及び第２収納部５３ａの内面を平面にするとともに、ホルダー部５２の第１収納部５２ａの内面も平面としたこと。【選択図】図１
2005126101.tif 000002
【特許請求の範囲】
【請求項１】
一対の表紙を背表紙で連設し、ディスクケース等を収納する収納ホルダーを備えた収納ファイルであって、
前記収納ホルダーを、少なくとも１つの第１収納部を有するホルダー部と、前記第１収納部内に着脱自在に収納されて第２収納部を有する補助ホルダー部と、前記第１及び第２収納部に収納されたディスクケース等の表面を保護する蓋部と、前記収納ファイルに綴じ込み可能な綴じ部とを備えたものとしてブックケース型に形成し、
前記ホルダー部と補助ホルダー部とを、紙、ポリプロピレン、あるいはこれらに布貼りを施したシート材によって折り込み形成して、前記補助ホルダーの側面及び第２収納部の内面を平面にするとともに、前記ホルダー部の第１収納部の内面も平面とし、
さらに、前記蓋部を、上蓋と下蓋とが重合されて閉じられるように構成し、前記上蓋の縦長さと前記下蓋の縦長さのそれぞれが前記ホルダー部の縦長さと略同一長さになるように形成したことを特徴とするディスクケース等の収納ファイル。
【請求項２】
前記一対の表紙のうち、少なくとも一方を封筒状に形成して袋収納部となし、前記袋収納部に背表紙を挿入可能としたことを特徴とする請求項１に記載のディスクケース等の収納ファイル。
【請求項３】
前記背表紙の挿入方向に対して垂直に、複数の折り襞を形成したことを特徴とする請求項１または請求項２に記載のディスクケース等の収納ファイル。
【発明の詳細な説明】
【技術分野】
【０００１】
本発明は、ＣＤ−ＲＯＭ用ディスクケース又はＦＤ・ＭＤ用ディスクケースを収納できるファイルに関するものである。
【背景技術】
【０００２】
従来においては、大きな設計図面等が記載された多数の書類はファイル等に挟んで保管されていたが、昨今では、このような図面等や必要なデータ等は、コンピュータによって電子データ化して、ＣＤーＲＯＭ、ＦＤやＭＤ、あるいはＭ０に保管する、所謂ペーパレス化が図られている。このような利用者の便宜等を図るペーパレス化は、官庁等でも行われるようになってきているが、これらのＣＤーＲＯＭ等は、埃、傷またはその他の破損要因から保護すべくそれぞれ専用のディスクケース内に収納されていることが多い。
【０００３】
ところで、官公庁に対して正式文書としての書類等を書面で提出する場合には、書類に表紙を付けて提出することが原則として定められている。これは設計図面を提出する場合でも例外ではなく、提出する側である業者が入札に参加する場合等において大型の設計図面を正式文書として提出する場合には、図面を折り畳んで図面袋に収納し、その図面袋を表紙に代用して提出していた。そして、その後に追加図面や修正図面を提出する場合には図面袋を使わずに設計図面のみを提出していた。
【０００４】
一方、提出される側では、提出される設計図面は莫大な量に上るため、効率的に管理できるように、図面袋ごとパイプファイルに綴じ込む等して整理・保管していた。また、公共事業の特徴上、受発注者間や部署間で頻繁に情報交換が行われるため、その場合には、パイプファイルに綴じ込んだ図面袋のうち、必要な図面の入った図面袋だけをパイプファイルから取り外してやりとりがなされていた。
【０００５】
このような設計図面の提出から整理、保管、利用に至るまでの流れは電子媒体で提出する場合においても変わるところがなく、提出する側は書面で提出する場合と同様に表紙をつけて提出することが要求されるし、提出される側においてはファイルに綴じ込むなどして整理・保管し、それを利用に供する必要がある。つまり、電子媒体においても従来の図面袋のようにあらゆる場面で多目的に利用できる収納手段が必要とされるのである。
【０００６】
このような、電子化の流れは近年のＩＴ技術の進歩により他の官公庁や民間企業等、社会全体に急速に拡大しており、上記のような収納手段のニーズは高まるばかりであるが、そのようなニーズに応えるためのものが、例えば、特許文献１〜３において種々提案されてきている。
【特許文献１】実開平２−７９２８７号公報、考案の詳細な説明
【特許文献２】特開平９−１７５５８５号公報、要約
【特許文献３】特開平９−１８３４７８号公報、要約
【発明の開示】
【発明が解決しようとする課題】
【０００７】
特許文献１に記載されている「記録担体用パッケージ」は、異なった大きさの記録担体を収納できる記録担体用パッケージにおいて、例えば、折り畳んだときに四角形の底部、側部、小蓋部、蓋部を形成する一枚のシート状のパッケージ本体と、その四角形の底部の隅角部に貼着され鈎状に形成された発砲スチロール製の位置決め部材とからなる記録担体用パッケージであって、位置決め部材の位置決め端面から側部までの距離が３．５インチまたは５インチのフレキシブルディスクの縦横寸法と略同じに設定したことによって両サイズのフレキシブルディスクを収納することができるものである。（以上、特許文献１：６頁１行目〜７頁１９行目参照）
ところが、このような記録担体用パッケージであると、大きさの異なるディスクの収納は、「位置決め部材」の変更によって行えるけれども、あくまでもパッケージであって、一枚のディスクしか収納できす、まして「ファイル化」することもできないものとなっている。
【０００８】
これに対して、特許文献２に記載された「ソフトウェア用メディア包装函」においては、各種ソフトウェア用メディアの寸法に対応する収納部を各所定個数分設けた第１包装材と、底部の衝撃緩衝用とする第２包装材とを接着し、第１包装材に収納されたソフトウェア用メディアの飛び出し防止用及び上方部からの衝撃緩衝用とする蓋部としての第３包装材を第１包装材の一辺上の端面に粘着テープ等で連結して折り重ねて、第３包装材と第２包装材とを粘着テープ等で接着して固定したものである（特許文献２：段落番号「０００７」〜「００１４」参照）。
【０００９】
従って、この特許文献２に記載された発明は、ソフトウェア用メディアを工場から市場に出荷する際に使用する包装函であって、収納したい各種メディアを自由な組み合わせで収納できること、包装函の量産が可能、画一化した収納により安定した対衝撃性が得られること、定型のすっきりした外観となり見栄えが良くなり商品価値が向上できること（特許分献２：「発明の効果」の欄参照）といった、あくまでも同一形状のソフトウェア用メディアを包装するという効果は有しているものの、大きさの異なるソフトウェア用メディアを収納することはできないものとなっている。
【００１０】
特に、以上の特許文献１及び特許文献２の発明では、「ゴミ」の問題を一切考慮していないことが問題である。つまり、この種のファイルやパッケージでは、使用しなくなればゴミとして捨てられることになるが、近年のように「ゴミ問題」が喧しくなってくると、使用後のゴミ問題も考慮しておかなければならないのである。
【００１１】
特許文献１では、「パッケージ本体２１は、紙、プラスチックあるいは塩化ビニール等にて形成されている」ものであり、特許文献２では、「包装材料は、静電対策用段ボール１９や、単なる紙段ボールや、静電対策可能なモルトプレーンや、発泡スチロール系プラスチック材であってもよい」ものであって、これらの特許文献１及び特許文献２の発明では、ゴミ問題を考慮しているとは考えられない。
【００１２】
ゴミ問題の解決法としては、よく知られているように「量」と「質」の面から追求する方法がある。この種のファイルやパッケージについて言えば、「段ボール」や「発泡スチロール」の使用を止めて量を減らし、「塩化ビニール」や「発泡スチロール」の使用を止めることにより焼却時の有害ガス発生を抑えて質を良好にすることである。
【００１３】
そこで、本発明者等が、このゴミ問題をも考慮しながら、ＣＤ−ＲＯＭ用ディスクケース又はＦＤ・ＭＤ用ディスクケースを収納できるファイルを構成するにはどうしたらよいかについて、種々検討を重ねてきた結果、特許文献３に提案されているような「ディスクケースの内装用保持枠」を見出したのである。
【００１４】
この特許文献３に記載されている「ディスクケースの内装用保持枠」は、その特許請求項の範囲からすると、図９にも示すように、
「腰のある厚紙ないしは段ボールから作製され、上下二重に構成された底壁上面に、ＣＤ−ＲＯＭ等のディスクケースを保持する左右一対の平面視略々コ字状の保持枠部が互いの開口部を向けあう態様に切り起し形成されると共に、前記保持枠部の内側中央壁部に、ディスクケースを持ち上げ状態に支持する支持片が、底壁上壁部に跨がって切り起こし形成されてなることを特徴とする」
ものである。このようなディスクケースの内装用保持枠を使用すれば、上述したゴミの「量」の問題も「質」の問題もある程度解決できると考えられる。
【００１５】
しかしながら、このようなディスクケースの内装用保持枠では、ファイル化することはできないし、ディスクを大きさに応じて収納することもできないと考えられ、しかも、「支持片」上に乗った状態にあるディスクが外に零れ出やすいと考えられる。つまり、この特許文献３の「保持枠」では、これに上記特許文献１及び２の発明を組み合わせたとしても、本発明が対象としている、ＣＤ−ＲＯＭ用ディスクケース又はＦＤ・ＭＤ用ディスクケースを収納できるファイルを構成することはできないと考えられる。
【００１６】
すなわち、本発明が対象としているＣＤ−ＲＯＭ用ディスクケース又はＦＤ・ＭＤ用ディスクケースを収納できるファイルを構成するには、次の諸点、つまり、
（１）他の書類とともに綴じることができるものであること
（２）異なる大きさのケースやディスクが収納できること
（３）できれば、収納ホルダーを収納ファイルに綴じ込んで使用することもでき、収納ファイルから取り外して収納ホルダー単体で使用することもできるという２通りの使用を可能とすること
（４）ゴミの問題も解決できること
の全てを改善する必要があるのである。
【００１７】
本発明は、以上の実状に鑑みてなされたもので、その解決しようとする課題は、上記の（１）〜（４）の全てを改善することのできるディスクケース等の収納ファイルを、簡単な構成によって提供することにある。
【課題を解決するための手段】
【００１８】
以上の課題を解決するために、まず、請求項１に係る発明の採った手段は、後述の最良形態の説明中において使用する符号を付して説明すると、
「一対の表紙５０ａ・５０ｂを背表紙５１で連設し、ディスクケース８０等を収納する収納ホルダー５０を備えた収納ファイル１００であって、
収納ホルダー５０を、少なくとも１つの第１収納部５２ａを有するホルダー部５２と、第１収納部５２ａ内に着脱自在に収納されて第２収納部５３ａを有する補助ホルダー部５３と、第１及び第２収納部５２ａ・５３ａに収納されたディスクケース８０等の表面を保護する蓋部２０と、当該収納ファイル１００に綴じ込み可能な綴じ部４０とを備えたものとしてブックケース型に形成し、
ホルダー部５２と補助ホルダー部５３とを、紙、ポリプロピレン、あるいはこれらに布貼りを施したシート材によって折り込み形成して、補助ホルダー５３の側面５３ｂ及び第２収納部５３ａの内面５３ｃを平面にするとともに、ホルダー部５２の第１収納部５２ａの内面５２ｂも平面とし、
さらに、蓋部２０を、上蓋２０ａと下蓋２０ｂとが重合されて閉じられるように構成し、上蓋２０ａの縦長さと下蓋２０ｂの縦長さのそれぞれがホルダー部５２の縦長さと略同一長さになるように形成したことを特徴とするディスクケース等の収納ファイル１００」
である。
【００１９】
すなわち、この請求項１に係る収納ファイル１００は、その収納ホルダー５０を、少なくとも１つの第１収納部５２ａを有するホルダー部５２と、第１収納部５２ａ内に着脱自在に収納されて第２収納部５３ａを有する補助ホルダー部５３と、第１及び第２収納部５２ａ・５３ａに収納されたディスクケース８０等の表面を保護する蓋部２０と、当該収納ファイル１００に綴じ込み可能な綴じ部４０とを備えたものとしてブックケース型に形成したから、収納ホルダー５０を綴じ込んで使用することができるのである。
【００２０】
換言すれば、この収納ファイル１００は、綴じ込み部材７０や背表紙５１が許せば複数の収納ホルダー５０を綴じ込みことができることは勿論、この収納ホルダー５０とともに他の申請書類とも併せて綴じ込むことができるのであり、（１）他の書類とともに綴じることができる、ものとなっているのである。
【００２１】
また、この収納ファイル１００は、第１収納部５２ａを有するホルダー部５２と、第１収納部５２ａ内に着脱自在に収納されて第２収納部５３ａを有する補助ホルダー部５３とを備えているため、第１収納部５２ａはその中に補助ホルダー部５３を着脱自在に収納することができることは当然として、第１収納部５２ａ及び第２収納部５３ａは、それぞれその中にディスクケース８０及びＦＤまたはＭＤ用ケース８１を収納することができるものとなっている。
【００２２】
換言すれば、この収納ファイル１００は、図１及び図３の各下側部分に示すように、ディスクケース８０を収納したいときには、第１収納部５２ａからその中にあった補助ホルダー部５３を外して、この第１収納部５２ａ内にディスクケース８０を収納するのであり、ディスクケース８０より小さいＦＤまたはＭＤ用ケース８１を収納したい場合には、第１収納部５２ａ内に補助ホルダー部５３を入れたままにしておいて、この補助ホルダー部５３が有している第２収納部５３ａ内にＦＤまたはＭＤ用ケース８１を収納すればよいのである。
【００２３】
このとき、ホルダー部５２と補助ホルダー部５３とを、紙、ポリプロピレン、あるいはこれらに布貼りを施したシート材によって折り込み形成して、補助ホルダー５３の側面５３ｂ及び第２収納部５３ａの内面５３ｃを平面にするとともに、ホルダー部５２の第１収納部５２ａの内面５２ｂも平面としてあるから、ホルダー部５２の第１収納部５２ａに対する補助ホルダー部５３またはディスクケース８０の保持も、また、補助ホルダー部５３の第２収納部５３ａ内でのＦＤまたはＭＤ用ケース８１の保持も確実になされ、それぞれが簡単に外れることはない。
【００２４】
何故なら、ホルダー部５２の第１収納部５２ａの内面５２ｂが平面としてあるため、ディスクケース８０はその側面の平面で、また補助ホルダー部５３はその側面５３ｂの平面でこの内面５２ｂに密着し、また、補助ホルダー部５３の第２収納部５３ａの内面５３ｃが平面としてあるため、ＦＤまたはＭＤ用ケース８１はその側面の平面でこの内面５３ｃに密着するからである。
【００２５】
以上の結果、この収納ファイル１００は、（２）異なる大きさのケースディスクケース８０やＦＤまたはＭＤ用ケース８１を確実に収納できるのであり、収納されたものは簡単には外れないのである。
【００２６】
さらに、この収納ファイル１００では、収納ホルダー５０の蓋部２０は上蓋２０ａと下蓋２０ｂとを重合させて閉じるように構成し、上蓋２０ａと下蓋２０ｂのそれぞれの縦長さをホルダー部の縦長さと略同一長さに形成することで収納ホルダー５０を全体としてブックケース型としていて、収納ホルダー５０単体での使用を可能としている。つまり、上蓋２０ａと下蓋２０ｂがホルダー部５２及び補助ホルダー部５３の全体を覆って第１収納部５２ａ及び第２収納部５３ａ内へのゴミや埃の侵入やディスクケース８０等の傷付きや脱落を確実に防ぎ、また、上蓋２０ａと下蓋２０ｂとを重合させて閉じる、いわゆる二重蓋構造としたことで、外圧によってディスクケース８０等が割れたりすることを防止しており、さらに携行しやすいブックケース型としたために、収納ホルダー５０単体での使用が可能なのである。
【００２７】
すなわち、本発明の収納ファイル１００は、蓋部２０を二重蓋としてブックケース型に形成したことで、（３）収納ホルダー５０の当該収納ファイル１００に綴じ込んでの使用と、収納ホルダー５０だけでの使用の２通りの使用方法を選択することができるのである。
【００２８】
そして、本発明の収納ファイル１００は、ホルダー部５２も、補助ホルダー部５３も、紙等からなるシート材によって折り込み形成するため、材料を少なくして空間Ｒを有したものとしながらも、包装材としては剛性が高く、焼却する際に有害ガスの発生を抑えることができるので、（４）ゴミの問題も解決できるものとなているのである。
【００２９】
次に、請求項２記載の発明は、請求項１に記載のディスクケース収納ファイル１００を構成する一対の表紙５０ａ、５０ｂのうち、少なくとも一方を封筒状に形成して袋収納部５４ａ、５４ｂとなし、袋収納部５４ａ、５４ｂに背表紙５１を挿入可能としたことをその要旨とした。
【００３０】
これにより、この請求項２に係る収納ファイル１００は、請求項１記載の発明が奏する効果は勿論のこと、さらに、背表紙５１の幅を任意に設定することができるため、複数の収納ホルダー５０を綴じることができるものとなっているのである。
【００３１】
最後に、請求項３記載の発明は、請求項１または請求項２に記載のディスクケース収納ファイル１００を構成する背表紙５１に、その挿入方向に対して垂直に、複数の折り襞５５を形成したことをその要旨とした。
【００３２】
これにより、この請求項３に係る収納ファイル１００は、請求項１または請求項２に記載の発明が奏する効果は勿論のこと、さらに、収納ファイル１００内に綴じられた収納ホルダー５０の厚みに応じて幅を容易に設定することができるものとなっているのである。
【発明の効果】
【００３３】
すなわち、本発明は、
「一対の表紙５０ａ・５０ｂを背表紙５１で連設し、ディスクケース８０等を収納する収納ホルダー５０を備えた収納ファイル１００であって、
収納ホルダー５０を、少なくとも１つの第１収納部５２ａを有するホルダー部５２と、第１収納部５２ａ内に着脱自在に収納されて第２収納部５３ａを有する補助ホルダー部５３と、第１及び第２収納部５２ａ・５３ａに収納されたディスクケース８０等の表面を保護する蓋部２０と、当該収納ファイル１００に綴じ込み可能な綴じ部４０とを備えたものとしてブックケース型に形成し、
ホルダー部５２と補助ホルダー部５３とを、紙、ポリプロピレン、あるいはこれらに布貼りを施したシート材によって折り込み形成して、補助ホルダー５３の側面５３ｂ及び第２収納部５３ａの内面５３ｃを平面にするとともに、ホルダー部５２の第１収納部５２ａの内面５２ｂも平面とし、
さらに、蓋部２０を、上蓋２０ａと下蓋２０ｂとが重合されて閉じられるように構成し、上蓋２０ａの縦長さと下蓋２０ｂの縦長さのそれぞれがホルダー部５２の縦長さと略同一長さになるように形成したこと」
にその主たる特徴を有するものであり、これにより、傷や埃の侵入を防止することができ、運搬中に天地が逆にされたり、あるいは運搬中の振動によってもディスクケースが容易に外れることを防止することができるため、持ち運びに便利で、且つ、書籍等と同様に本棚等に保管することができて、しかも、次の（１）〜（４）の全てを改善することのできるディスクケース等の収納ファイル１００を、簡単な構成によって提供することができたのである。
【００３４】
換言すれば、本発明に係る収納ファイル１００は、
（１）ディスクケース８０等を他の書類とともに綴じることができる
（２）異なる大きさのケース８０やディスク８１が収納できる
（３）収納ホルダー５０を収納ファイル１００に綴じ込んで使用することもでき、収納ファイル１００から取り外して収納ホルダー５０単体で使用することもできるという２通りの使用が可能である
（４）ホルダー部５２も、補助ホルダー部５３も、紙等からなるシート材によって折り込み形成するため、材料を少なくして空間Ｒを有したものとしながらも、包装材としては剛性が高く、焼却する際に有害ガスの発生を抑えることができるので、ゴミの問題も解決できる
といった改善ができたのである。
【発明を実施するための最良の形態】
【００３５】
次に、以上のように構成した各発明に係る収納ファイル１００について、最良形態を示す図１〜図８を参照して説明するが、これは代表的な例を示したものであり、その要旨を超えない限り、以下の最良形態である収納ファイル１００により本発明が限定されるものではない。
【００３６】
まず、収納ファイル１００は、図１に示すように、厚紙等によって矩形に形成された表表紙５０ａと裏表紙５０ｂとよりなる一対の表紙を、背表紙５１で連設したものであり、この収納ファイル１００の内部には、２つの補助ホルダー部５３を収納するための収納ホルダー５０が綴られている。
【００３７】
収納ホルダー５０は、図１〜図４に示すように、ブック型に形成されものであり、蓋部２０として上表紙と下表紙を背表紙で連設されたものであり、裏表紙にはホルダー部５２が貼着されている。この収納ホルダー５０の側端側には、図３及び図４に示したように、収納ファイル１００に綴じ込みができるように綴じ部４０が形成してあり、綴じ部４０には綴じ穴４１が縦並びに形成されている。これにより、収納ファイル１００は勿論、他のファイル等に容易に綴じ込むことができる。
【００３８】
ホルダー部５２は、紙、ポリプロピレン、あるいはこれらに布貼りを施したシート材によって折り込み形成したものであり、２つ分の補助ホルダー部５３またはディスクケース８０を収納して保持するための第１収納部５２ａが形成してある。この第１収納部５２ａは、ディスクケース８０または補助ホルダー部５３を僅かの力で圧入できるように、ディスクケース８０または補助ホルダー部５３の大きさよりも僅かに小さく折り込み形成したものである。
【００３９】
すなわち、このホルダー部５２は、図７に示したホルダー部形成シート５２Ａを折り込んで形成したものであるが、その折り込みの基本は、４辺とも巻き込むように折り込んで、図示左右に位置している各連結腕を、その切り込み５８で差込し合わせながら連結するのである。この図７では、底壁１４が紙背になる状態で示してあり、第１収納部５２ａの内面５２ｂとなる部分は図中に符号を付して示したが、符号１３は突部となる部分である。この図７中の仮想線は、補助ホルダー部５３またはディスクケース８０が収納される第１収納部５２ａの形成位置を示すものである。このホルダー部形成シート５２Ａは、上述したように折り込むだけでホルダー部５２を形成するものであるから、内面５２ｂは全て第１収納部５２ａの周囲を囲む平面を形成することになるものである。
【００４０】
このホルダー部５２の第１収納部５２ａ内に収納される補助ホルダー部５３も、紙、ポリプロピレン、あるいはこれらに布貼りを施したシート材によって折り込み形成したものであり、図３及び図４に示したように、１つ分のＦＤまたはＭＤ用ケース８１を収納して保持するための第２収納部５３ａが形成してある。この第２収納部５３ａは、ＦＤまたはＭＤ用ケース８１を僅かの力で圧入できるように、ＦＤまたはＭＤ用ケース８１の大きさよりも僅かに小さく折り込み形成したものである。
【００４１】
すなわち、この補助ホルダー部５３も、図８に示した補助ホルダー部形成シート５３Ａを折り込んで形成したものであるが、その折り込みの基本は、上述したホルダー部５２の場合と同じように、図中の矢印のように４辺とも巻き込むように折り込んで、図示左右に位置している各連結腕を、その切り込み５８で差込し合わせながら連結するのである。この図８でも、底壁５７が紙背になる状態で示してあり、側面５３ｂ及び内面５３ｃとなる部分は図中に符号を付して示したが、符号５６はホルダー部５２側の突部１３と重なる突部５６となる部分である。この補助ホルダー部形成シート５３Ａも、上述したように折り込むだけで補助ホルダー部５３を形成するものであるから、側面５３ｂ及び内面５３ｃは、全て補助ホルダー部５３の外周を形成する平面、及び第２収納部５３ａの周囲を囲む平面を形成することになるものである。
【００４２】
また、本発明にかかる収納ファイル１００を構成する収納ホルダー５０においては、蓋部２０を、ホルダー部５２の左端に設けられた上蓋２０ａとホルダー部５２の右端に設けられた下蓋２０ｂから構成し、上蓋２０ａと下蓋２０ｂを重合させて閉じるように構成したものである。これらの上蓋２０ａと下蓋２０ｂのそれぞれには、図４に示したように、マジックテープ２１が貼着されている。これにより、ホルダー部５２に収納されているディスクケース８０は勿論、補助ホルダー部５３も確実に保護することができ、同様に、補助ホルダー部５３の第２収納部５３ａ内のＦＤまたはＭＤ用ケース８１についても確実に保護できる。尚、上下蓋を貼着する手段は、上記実施例に限定されることはなく、いかなる構成でもよい。
【００４３】
次に、図１又は図２に基づいて、本発明にかかる収納ファイル１００を構成する一対の表紙について説明する。これらの図に示すように、収納ファイル１００は、矩形に加工された厚紙等によって形成され、表紙５０ａと裏表紙５０ｂとよりなる一対の表紙が、背表紙５１で連設されている。
【００４４】
また、収納ファイル１００を構成する表紙５０ａと裏表紙５０ｂの内側面のそれぞれには、収納ホルダー５０を綴じ込むための綴じ込み片５２ａ、５２ｂが形成されている。そして、収納ホルダー５０の左端側に形成された綴じ部４０は、それぞれの綴じ込み片５２ａ、５２ｂにより挟まれ、一般的に周知である綴じ込み部材７０によって綴じ込まれている。尚、ファイル５０の綴じ込み部材の構成についてはこれに限定されることなく、開閉可能に付勢されたリング状の綴じ込み部材でもよく、収納ホルダー５０を綴じ込み可能であれば、どんな構成のものでもよい。
【００４５】
さらに、ファイル５０は、複数の収納ホルダー５０を綴じられるように、表紙５０ａと裏表紙５０ｂとが封筒状に形成されて、それぞれ袋収納部５４ａ、５４ｂが形成されており、この袋収納部５４ａ、５４ｂに背表紙５１が挿入されている。これにより、背表紙５１をそれぞれの袋収納部５４ａ、５４ｂへの挿入幅を調節することによって、背表紙５１の幅を任意に設定することが可能となっている。また、背表紙５１には、縦方向（長手方向）に複数の折り襞５５が形成されているので、収納ホルダー５０の厚みに応じて幅を自由設定することが可能である。
【００４６】
しかも、背表紙５１の両端部には、図６に示すように、ストッパー部６０が折り曲げ形成されている。また、一対の表紙５０ａ、５０ｂのそれぞれの縁端部には係止部６１が設けられており、この係止部６１とストッパー部６０と相俟って一対の表紙５０ａ、５０ｂから背表紙５１が脱落することが防止される。
【００４７】
以上のような構成からなる収納ファイル１００の実施形態によって発揮される作用効果について、以下説明する。
【００４８】
上記の実施形態における収納ファイル１００においては、一対の表紙５０ａ、５０ｂが背表紙５１で連設されて、このファイル５０内部には、ディスクケース８０やＦＤまたはＭＤ用ケース８１を収納することができる収納ホルダー５０を備えているため、持ち運びに便利で、且つ、書籍等と同様に本棚等に保管することができる。
【００４９】
上記の実施形態における収納ファイル１００においては、表紙５０ａと裏表紙５０ｂとが封筒状に形成されて、それぞれ袋収納部５４ａ、５４ｂが形成されており、この袋収納部５４ａ、５４ｂに背表紙５１が挿入されている。これによれば、背表紙５１をそれぞれの袋収納部５４ａ、５４ｂへの挿入幅を調節することによって、背表紙５１の幅を任意に設定することができるため、複数の収納ホルダー５０を綴じることができる。また、背表紙５１には、縦方向（長手方向）に複数の折り襞５５が形成されているので、ファイル内に綴じられた収納ホルダー５０の厚みに応じて幅を容易に設定することができる。
【００５０】
上記の実施形態における収納ファイル１００においては、背表紙５１の両端部に、ストッパー部６０を形成し、このストッパー部６０と係止する係止部６１を一対の表紙５０ａ、５０ｂのそれぞれの縁端部に設けたため、一対の表紙に形成された袋収納部５４ａ、５４ｂに挿入された背表紙５１の脱落を防止することができる。
【００５１】
上記の実施形態における収納ファイル１００を構成する収納ホルダー５０においては、収納されたディスクケースの表面が保護するための蓋部２０が設けられているため、ディスクケースの表面が保護され、傷や埃の侵入を防止することができる。
【００５２】
上記の実施形態における収納ファイル１００を構成する収納ホルダー５０においては、ホルダー部５２を、緩衝材から形成したより、内部に収納されたディスクケースを衝撃等による破損等から保護することができるため、社内などの回覧を円滑に行うことができる。
【００５３】
上記の実施形態における収納ファイル１００を構成する収納ホルダー５０においては、第１収納部５２ａの大きさをディスクケースの大きさよりも僅かに小さく形成したことにより、運搬中に天地が逆にされたり、あるいは運搬中の振動によるディスクケースの外れを防止することができる。
【００５４】
上記の実施形態における収納ファイル１００を構成する収納ホルダー５０においては、第１収納部５２ａの側壁内面５２ｂのうちの少なくとも一面に、ディスクケースを第１収納部５２ａ内に狭持させるための突部１３を設けたことにより、運搬中に天地が逆にされたり、あるいは運搬中の振動によるディスクケースの外れを防止することができる。
【００５５】
上記の実施形態における収納ファイル１００を構成する収納ホルダー５０においては、第１収納部５２ａの底壁１４にディスクケースの取り出しのための貫通孔１５を設け、さらに、第１収納部５２ａの側壁内面５２ｂの側縁部にディスクケースの取り出しのための切欠部１６とを設けたことにより、これらのうちいずれかに指を入れれば容易に取り出すことができる。
【００５６】
上記実施形態における収納ファイル１００を構成する収納ホルダー５０においては、第１収納部５２ａ内に、着脱自在な緩衝材からなる補助ホルダー部５３を備えたことにより、ＣＤ−ＲＯＭ用ケース又はＦＤ・ＭＯ用ケースの両サイズを収納することができる。
【００５７】
上記実施形態における収納ファイル１００を構成する収納ホルダー５０においては、蓋部２０を、ホルダー部５２の左端に設けられた上蓋２０ａとホルダー部５２の右端に設けられた下蓋２０ｂから構成し、上蓋２０ａと下蓋２０ｂを重合させて閉じるように構成したブックケース型に形成したことにより、より一層、ホルダー部５２内への傷や埃の侵入を防止でき、運搬中のディスクケースの落下を防止することができる。
【００５８】
ところで、本各発明は、上述した実施例に限定されるものではなく、本発明の目的を達成できる範囲内での改良、変形等は本発明に含まれるものである。上述した収納ファイル１００の実施例においては、背表紙５１の両端部に、ストッパー部６０を折り曲げ形成し、このストッパー部６０と係止する係止部６１を一対の表紙５０ａ、５０ｂのそれぞれの縁端部に折り曲げ形成した例を示したが、これに限定されることはなく、表紙から背表紙が脱落しないような構成であれば、いかなる構成でもよい。
【００５９】
また、収納ホルダー５０を構成する収納ホルダー５０は、ブック型に形成されものであり、蓋部２０としての上表紙と下表紙を背表紙で連設されたものを示したが、これに限定されることはなく、例えば、蓋部２０がホルダー部５２と一体成形された収納ホルダー５０としてもよい。そして、蓋部２０を透明な合成樹脂等から形成すれば、収納されているディスクケースの視認性を高めることができる。
【００６０】
さらに、上述した実施例では、ホルダー部５２に形成された第１収納部５２ａは、切欠形成されていたが、これに限定されることはなく、収納凹部としてもよい。この場合においては、収納凹部の底壁に貫通孔を形成すればよい。さらに、収納部に形成された突部、貫通孔及び切欠部の位置又は個数は、適宜変更してもよい。
【図面の簡単な説明】
【００６１】
【図１】本発明にかかる収納ファイルの最良形態を示す斜視図である。
【図２】同収納ファイルの別の状態を示す斜視図である。
【図３】同収納ファイルを構成する収納ホルダーの実施例を示す斜視図である。
【図４】同収納ファイルを構成する収納ホルダーの別実施例を示す平面図である。
【図５】図４のＡ−Ａ間における断面図である。
【図６】同収納ファイルを構成する裏表紙と背表紙との係合状態を示した断面図である。
【図７】ホルダー部形成シートの展開状態を示す平面図である。
【図８】補助ホルダー部形成シートの展開状態を示す平面図である。
【図９】従来の技術を示す斜視図である。
【符号の説明】
【００６２】
１００  収納ファイル
１３    突部
１４    底壁
１５    貫通孔
１６    切欠部
２０    蓋部
４０    綴じ部
４１    綴じ穴
５０    収納ホルダー
５０ａ  表紙
５０ｂ  裏表紙
５１    背表紙
５２    ホルダー部
５２ａ  第１収納部
５２ｂ  側壁内面
５３ａ  第２収納部
５４ａ  袋収納部
５４ｂ  袋収納部
５５    折り襞
６０    ストッパー部
６１    係止部
７０    補助ホルダー部
８０    ディスクケース
【図１】
2005126101.tif 000003
【図２】
2005126101.tif 000004
【図３】
2005126101.tif 000005
【図４】
2005126101.tif 000006
【図５】
2005126101.tif 000007
【図６】
2005126101.tif 000008
【図７】
2005126101.tif 000009
【図８】
2005126101.tif 000010
【図９】
2005126101.tif 000011